(57)【要約】      （修正有）【課題】ユーザが気軽にスーツケースカバーに対して抜き出す及び被覆動作を行うだけではなく、カバーをスーツケースから脱離しないで、スーツケースに対して開合動作を行うことができるスーツケースカバーを提供する。【解決手段】ケースカバーはケース蓋カバー１及びケース本体カバー２を含み、ケース蓋カバー及びケース本体カバーは側面にあるジッパー３によってケースカバーを接続し、ジッパーは両側面と頂面に連続的に設置され、ジッパーにジッパーヘッド９が設けられ、ケースカバーの底部が空白底面６であり、ジッパー又は、ボタンで閉合された保護シートによって、空白底面は頂面４に対向する；ケース蓋カバーとケース本体カバーの空白底面の４角にいずれも固定具が設置される；固定具はストリップ状の弾性固定ユニット１１であり、固定ユニットの両端によって底面角部の両側を固定する。【選択図】図１
0003218555.tif 000002
【実用新案登録請求の範囲】
【請求項１】
ジッパー付きのスーツケースカバーであって、前記ケースカバーはケース蓋カバー及びケース本体カバーを含み、ケース蓋カバー及びケース本体カバーは側面にあるジッパーによってカバーを接続し、ジッパーは両側面と頂面に連続的に設置され、前記ジッパーにジッパーヘッドが設けられ、ケースカバーの底部が空白底面であり、又はジッパー、ボタンで閉合された保護シートによって、前記空白底面は前記頂面に対向し、前記ケース蓋カバーとケース本体カバーの空白底面四角にいずれも固定具が設置され、前記ケース本体カバーの側面に網袋が設置される
ことを特徴とするジッパー付きのスーツケースカバー。
【請求項２】
請求項１に記載のジッパー付きのスーツケースカバーであって、前記ジッパーにダブルジッパーヘッド又はシングルジッパーヘッドが設けられる
ことを特徴とするジッパー付きのスーツケースカバー。
【請求項３】
請求項１に記載のジッパー付きのスーツケースカバーであって、前記固定具は弾性スリーブ状固定ユニットであって、固定ユニットの両端によって空白底面角部の両側を固定し、前記固定具はストリップ状の弾性固定ユニット又はバックル補助具によって接続される
ことを特徴とするジッパー付きのスーツケースカバー。
【請求項４】
請求項１に記載のジッパー付きのスーツケースカバーであって、前記ケース本体カバーの頂面にプルロッド通過窓口が開設され，また閉合ジッパーが設置されてもよい
ことを特徴とするジッパー付きのスーツケースカバー。
【請求項５】
請求項１に記載のジッパー付きのスーツケースカバーであって、前記ケース本体カバーの両側面にサイドハンドル伸び出し窓口が開設される
ことを特徴とするジッパー付きのスーツケースカバー。
【請求項６】
請求項４に記載のジッパー付きのスーツケースカバーであって、前記サイドハンドル伸び出し窓口の箇所に窓口閉合ジッパーが設置される
ことを特徴とするジッパー付きのスーツケースカバー。
【請求項７】
請求項１に記載のジッパー付きのスーツケースカバーであって、前記ケース蓋カバーとケース本体カバーの両側面及び頂面はいずれも弾性材質又は生地材質である
ことを特徴とするジッパー付きのスーツケースカバー。
【請求項８】
請求項１に記載のジッパー付きのスーツケースカバーであって、前記ケース蓋カバーとケース本体カバーの正面が透明で、霧透み材質又は生地である
ことを特徴とするジッパー付きのスーツケースカバー。
【請求項９】
請求項１に記載のジッパー付きのスーツケースカバーであって、前記ケース本体カバーの空白底面に固定バンドが設けられ、固定バンドが弾性バンドである
ことを特徴とするジッパー付きのスーツケースカバー。
【請求項１０】
請求項１に記載のジッパー付きのスーツケースカバーであって、前記ケースカバー正面又は裏面にＵ字状の開口が設置されることができ、Ｕ字状の開口にジッパーが設置される
ことを特徴とするジッパー付きのスーツケースカバー。
【考案の詳細な説明】
【技術分野】
【０００１】
本実用新型は日用品分野のスーツケースカバーに関し、特にジッパー付きのスーツケースカバーに関する。
【背景技術】
【０００２】
近年来にグローバル化の推進及び交通手段の益々更新に伴い、旅行は大部分の人の生活に不可欠な活動内容となる。旅行の場合、特に遠隔旅行の場合、スーツケースは非常に重要な役割を果たす。スーツケースの作用は主に以下のところに表され、大量のプライベート用品を持つ上に、同時に移動し易い特徴を備える。特に突出した利点は構造がシンプルである且つ耐震耐圧性に優れ、防水効果に優れる及びハンドルの高さが調節可能である。
【０００３】
従来のスーツケースは一般的には皮面であり、レザー及び人造皮革を含む。近年来にスーツケースの普及に伴い、現在に大部がプラスチック材質で製造し、重量上に一層軽量で、耐変形耐クラック性が一層強く、防水防汚性が大幅に向上され、外観の形状が多様化で、着色し易い及び製造コストが低いなどの一連の利点を備える。プラスチックを製造基材として用いるため、美観性を増やすためにその表面に対するペイント面処理を行う同時に、回避できない欠陥をもたらし、例えば耐すり傷性に劣り、即ち表面に割れ易い；日晒しの場合、ペイント面に裂けやすい又は褪色し易い。
【０００４】
上記問題を解決するために、現在の方法は主にスーツケースにカバーを被覆する方法を用い、即ちスーツケースカバーを被覆し、ユーザは常にスーツケースを積み上げる又は環境光線の強度が極めて強い時、スーツケースカバーをスーツケースの外部に被覆することによってスーツケース外表面への損傷を回避する；物品を持ち出す際にスーツケースを開ける時、まずスーツケースカバーをスーツケースから完全に抜け出した後、スーツケースの開け動作を行い、スーツケースを閉めた後、ユーザはスーツケースカバーをスーツケースに再度被覆する必要がある。そのため、このように複雑な操作動作によって、ユーザの体験によくない影響を与える。
【考案の概要】
【考案が解決しようとする課題】
【０００５】
本実用新型の目的は、スーツケースカバーを提供し、ユーザが気軽にスーツケースカバーに対して抜き出す及び被覆動作を行うだけではなく、それにユーザがカバーをスーツケースから脱離しない前提で、スーツケースに対して開合動作を行うことができる。
【課題を解決するための手段】
【０００６】
本実用新型は以下の技術的解決手段によって実現される：
ジッパー付きのスーツケースカバーであって，その特徴は以下のとおりである：前記ケースカバーはケース蓋カバー及びケース本体カバーを含み、ケース蓋カバー及びケース本体カバーは側面にあるジッパーによってカバーを接続し、ジッパーは両側面と頂面に連続的に設置され、前記ジッパーにジッパーヘッドが設けられ、ケースカバーの底部が空白底面であり、又はジッパー、ボタンで閉合された保護シートによって、前記空白底面は前記頂面に対向する；前記ケース蓋カバーとケース本体カバーの空白底面４角にいずれも固定具が設置される；上記技術的解決手段を詳しく説明する：前記ジッパーにダブルジッパーヘッド又はシングルジッパーヘッドが設けられる。上記技術的解決手段を詳しく説明する：前記固定具は弾性スリーブ状の固定ユニットであって、固定ユニットの両端によって空白底面角部の両側を固定し、前記固定具はストリップ状の弾性固定ユニット又はバックル補助具によって接続され、ストリップ状の弾性固定ユニットはケースカバーの空白底面をケース本体底部のホイールに固定させる；上記技術的解決手段を詳しく説明する：前記ケース本体カバーの頂面にプルロッド通過窓口が開設され，また閉合ジッパーが設置されてもよい。プルロッド通過窓口の位置はスーツケースのプルロッドの位置と連携することで、ユーザがプルロッドの伸縮動作を操作し易い；上記技術的解決手段を詳しく説明する；前記ケース本体カバーの両側面にサイドハンドル伸び出し窓口が開設される；上記技術的解決手段を詳しく説明する；前記サイドハンドル伸び出し窓口の箇所に窓口閉合ジッパーが設置されるので、ユーザはサイドハンドルを使う必要がない際、サイドハンドル伸び出し窓口を閉合することで、それによってスーツケースカバー全体の開口数量を減らし、不意のぶつかりによるケースカバーの引き裂きを回避する；上記技術的解決手段を詳しく説明する；前記ケース蓋カバーとケース本体カバーの両側面及び頂面はいずれも弾性材質又は生地材質であり、弾性材質の弾性属性を利用し、異なるケース本体の寸法の変化に適用し、同一規格（例えば同一２０インチ）のスーツケースでも、異なるタイプなら長さと厚さと高さにも相違し、弾力布によって弾力で開けて異なる寸法に適用する；上記技術方案を詳しく説明する；前記ケース蓋カバーとケース本体カバーの正面は透明な材質又は生地であり、透明な材質によってスーツケースの自然外表の色とパターンを明らかにさせる；上記技術的解決手段を詳しく説明する；前記ケース本体カバーの側面に網袋が設置され、コップ等の物品を収容することができる；上記技術的解決手段を詳しく説明する；前記ケース本体カバー空白底面に固定バンドが設けられ、固定バンドは弾性バンドであり、ケース本体カバーの空白底面をケース本体の底部に固定させる；上記技術的解決手段を詳しく説明する：前記ケースカバー正面又は裏面にＵ字状の開口が設置可能であり、Ｕ字状の開口にジッパーが設置される。
【考案の効果】
【０００７】
従来技術に比べると，本発明は以下の有益な効果を有する：
スーツケースカバーはスーツケースと契合度が高く、入れ及び脱離し易く、ユーザはケースカバーをスーツケース本体から脱離しない前提で、スーツケースに対して開合動作を行うことができる。
【図面の簡単な説明】
【０００８】
【図１】本実用新型のスーツケースカバーの立体透視構造図である。
【図２】スーツケースカバーを被覆するスーツケースの正立状態時の立体透視構造図である。
【考案を実施するための形態】
【０００９】
以下では図面と結合して本実用新型の内容を詳しく説明する：
【００１０】
図１に示すようなスーツケースカバーの立体透視構造図は，１、ケース蓋カバー；２、ケース本体カバー；３、ジッパー；４、頂面；５、プルロッド通過窓口；６、空白底面；７、窓口閉合ジッパー；８、網袋；９、ジッパーヘッド；１０、固定バンド；１１、弾性ストリップ状固定ユニットを含む。
【００１１】
スーツケースの主体は矩形又は円形を呈し、角部がアーク状構造である。プルロッドはケース本体頂面に設置され、ケース本体のホイールはケース底面に設置され、ケースカバーは図２に示すようにスーツケース外部に被覆され、ケース蓋カバーとケース本体カバーは側面にあるジッパーでケースカバーを接続し、ジッパーは両側面と頂面に連続的に設置され、ジッパーにジッパーヘッドが設けられる。ジッパーを開ける際、全体ケース蓋カバーとケース本体カバーを分けることができ、ケース蓋を開け易い；スーツケースカバーは固定具でスーツケースのホイール箇所に固定され、ここで固定具が弾性ストリップ状の固定ユニットを選択したらよいし、まず弾性ストリップ状の固定ユニットを完全に開け、且つホイール３上部からその根部位置へ被覆し、自然に放出したら固定プロセスを完成することができる；スーツケースの構造に基づき、プルロッドを伸び出し易いために、頂面にプルロッド通過窓口が開設され、また窓口閉合ジッパーが設置されてもよい；サイドハンドルを使い易いために、側面にサイドハンドル伸び出し窓口が開設され、且つ該箇所にまた窓口閉合ジッパーが設置される；スーツケースカバーの側面及び頂面はいずれも弾性材質又は生地材質であり、異なるケース本体の寸法の変化に適用する。ケース蓋カバーとケース本体カバーの正面は透明な材質又は生地であり、透明な材質によってスーツケースの自然外表の色とパターンを明らかにさせる。
【符号の説明】
【００１２】
１、ケース蓋カバー；２、ケース本体カバー；３、ジッパー；４、頂面；５、プルロッド通過窓口；６、空白底面；７、窓口閉合ジッパー；８、網袋；９、ジッパーヘッド；１０、固定バンド；１１、弾性ストリップ状固定ユニット。
【図１】
0003218555.tif 000003
【図２】
0003218555.tif 000004
【手続補正書】
【提出日】平成30年8月22日(2018.8.22)
【手続補正１】
【補正対象書類名】実用新案登録請求の範囲
【補正対象項目名】全文
【補正方法】変更
【補正の内容】
【実用新案登録請求の範囲】
【請求項１】
ジッパー付きのスーツケースカバーであって、前記ケースカバーはケース蓋カバー及びケース本体カバーを含み、ケース蓋カバー及びケース本体カバーは側面にあるジッパーによってカバーを接続し、ジッパーは両側面と頂面に連続的に設置され、前記ジッパーにジッパーヘッドが設けられ、ケースカバーの底部が空白底面であり、又はジッパー、ボタンで閉合された保護シートによって、前記空白底面は前記頂面に対向し、前記ケース蓋カバーとケース本体カバーの空白底面四角にいずれも固定具が設置され、前記ケース本体カバーの側面に網袋が設置される
ことを特徴とするジッパー付きのスーツケースカバー。
【請求項２】
請求項１に記載のジッパー付きのスーツケースカバーであって、前記ジッパーにダブルジッパーヘッド又はシングルジッパーヘッドが設けられる
ことを特徴とするジッパー付きのスーツケースカバー。
【請求項３】
請求項１に記載のジッパー付きのスーツケースカバーであって、前記固定具は弾性スリーブ状固定ユニットであって、固定ユニットの両端によって空白底面角部の両側を固定し、前記固定具はストリップ状の弾性固定ユニット又はバックル補助具によって接続される
ことを特徴とするジッパー付きのスーツケースカバー。
【請求項４】
請求項１に記載のジッパー付きのスーツケースカバーであって、前記ケース本体カバーの頂面にプルロッド通過窓口が開設され，また閉合ジッパーが設置されている
ことを特徴とするジッパー付きのスーツケースカバー。
【請求項５】
請求項１に記載のジッパー付きのスーツケースカバーであって、前記ケース本体カバーの両側面にサイドハンドル伸び出し窓口が開設される
ことを特徴とするジッパー付きのスーツケースカバー。
【請求項６】
請求項４に記載のジッパー付きのスーツケースカバーであって、サイドハンドル伸び出し窓口の箇所に窓口閉合ジッパーが設置される
ことを特徴とするジッパー付きのスーツケースカバー。
【請求項７】
請求項１に記載のジッパー付きのスーツケースカバーであって、前記ケース蓋カバーとケース本体カバーの両側面及び頂面はいずれも弾性材質又は生地材質である
ことを特徴とするジッパー付きのスーツケースカバー。
【請求項８】
請求項１に記載のジッパー付きのスーツケースカバーであって、前記ケース蓋カバーとケース本体カバーの正面が透明で、霧透み材質又は生地である
ことを特徴とするジッパー付きのスーツケースカバー。
【請求項９】
請求項１に記載のジッパー付きのスーツケースカバーであって、前記ケース本体カバーの空白底面に固定バンドが設けられ、固定バンドが弾性バンドである
ことを特徴とするジッパー付きのスーツケースカバー。
【請求項１０】
請求項１に記載のジッパー付きのスーツケースカバーであって、前記ケースカバー正面又は裏面にＵ字状の開口が設置され、Ｕ字状の開口にジッパーが設置される
ことを特徴とするジッパー付きのスーツケースカバー。